(57)【要約】【課題】十分な強度、剛性を発揮でき、構成が簡素で、廃棄処理等も簡単に行え、製造が容易で、量産に適し、コストの低減が図れ、経済的で、保管時等に嵩張らず、厚いシート部材で構成しても、弱い力でも柄部Ａを十分な折り曲げ状態にでき、復元力も抑制でき、折り曲げ状態の維持に力が不要で、柄部の折り曲げ作業等が簡単に且つスムーズに行え、取扱い易い紙製カトラリーを提供する。【解決手段】略平坦板状に形成し、中心線を挟み且つ相互に接近した状態に配する複数条の直線状折目筋１を、先端から基端に亙って設けた柄部Ａと、本体部Ｂとからなり、本体部Ｂは、中心点から離れた位置に配し且つ中心点から離れる方に向って湾出する湾曲状折目筋２、１０を設けると共に、プレス手段で湾曲面状に形成し、本体部Ｂの中心点近傍部分が最底部となり、湾曲状折目筋２、１０部分を中心点より高い位置に配した湾曲面状に構成する。【選択図】        図１
2005040285.tif 000002
【特許請求の範囲】
【請求項１】
比較的厚い紙製シート材或いは樹脂コーティングされた比較的厚い紙製シート材等から形成されるスプーンやフォークの如き紙製食卓用器具であって、柄部と、この柄部の先端に一体的に連設される本体部とからなり、柄部は、略平坦板状に形成され、その中心線を挟むように且つ相互に接近した状態に配される複数条の直線状折目筋が、柄部の先端から基端に亙って設けられ、本体部は、その中心点から離れた位置に配され且つ中心点から離れる方に向って湾出するような適数の湾曲状折目筋が設けられると共に、適宜プレス手段によって湾曲面状に形成され、本体部の中心点近傍部分が最底部となり、中心点から離れた湾曲状折目筋部分が中心点より高い位置に配されるような湾曲面状に本体部を構成したことを特徴とする紙製カトラリー。
【請求項２】
比較的厚い紙製シート材或いは樹脂コーティングされた比較的厚い紙製シート材等から形成されるスプーンやフォークの如き紙製食卓用器具であって、柄部と、この柄部の先端に一体的に連設される本体部とからなり、柄部は、略平坦板状に形成され、その中心線を挟むように且つ相互に接近した状態に配される二条の直線状折目筋が、柄部の先端から基端に亙って設けられ、本体部は、その中心点から離れた湾曲状折目筋と、中心点に近い湾曲状折目筋とが設けられると共に、適宜プレス手段によって湾曲面状に形成され、本体部の中心点近傍部分が最底部となり、中心点に近い湾曲状折目筋部分、中心点から離れた湾曲状折目筋部分の順に漸次高い位置に配されるような湾曲面状に本体部を構成したことを特徴とする紙製カトラリー。
【請求項３】
比較的厚い紙製シート材或いは樹脂コーティングされた比較的厚い紙製シート材等から形成されるスプーンの如き紙製食卓用器具であって、柄部と、この柄部の先端に一体的に連設される本体部とからなり、柄部は、略平坦板状に形成され、その中心線を挟むように且つ相互に接近した状態に配される二条の直線状折目筋が、柄部の先端から基端に亙って設けられ、本体部は、その中心点から離れた湾曲状折目筋と、中心点に近い湾曲状折目筋と、複数の外がわ放射状折目筋と、複数の内がわ放射状折目筋とが設けられると共に、適宜プレス手段によって湾曲面状に形成され、外がわ放射状折目筋は、中心点から離れた湾曲状折目筋から外周縁がわに向って略放射方向に配されると共に、外周縁には到達しないように形成され、内がわ放射状折目筋は、中心点に近い湾曲状折目筋と、中心点から離れた湾曲状折目筋の間に於いて略放射方向に配され、本体部の中心点近傍部分が最底部となり、中心点に近い湾曲状折目筋部分、中心点から離れた湾曲状折目筋部分の順に漸次高い位置に配されるような湾曲面状に本体部を構成したことを特徴とする紙製カトラリー。
【請求項４】
比較的厚い紙製シート材或いは樹脂コーティングされた比較的厚い紙製シート材等から形成されるスプーンやフォークの如き紙製食卓用器具であって、柄部と、この柄部の先端に一体的に連設される本体部とからなり、柄部は、略平坦板状に形成され、その中心線を挟むように且つ相互に接近した状態に配される複数条の直線状折目筋を、柄部の先端から基端に亙って設けたことを特徴とする紙製カトラリー。
【請求項５】
比較的厚い紙製シート材或いは樹脂コーティングされた比較的厚い紙製シート材等から形成されるスプーンやフォークの如き紙製食卓用器具であって、柄部と、この柄部の先端に一体的に連設される本体部とからなり、柄部は、略平坦板状に形成され、その中心線を挟むように且つ相互に接近した状態に配される複数条の直線状折目筋が、柄部の先端から基端に亙って設けられ、本体部は、その中心点から離れた位置に配され且つ中心点から離れる方に向って湾出するような適数の湾曲状折目筋が設けられるように構成したことを特徴とする紙製カトラリー。
【発明の詳細な説明】
【０００１】
【発明の属する技術分野】
本発明は、比較的厚い紙製シート材（或いは樹脂コーティングされた比較的厚い紙製シート材）等から形成されるスプーンやフォークの如き紙製食卓用器具であって、例えば、ファーストフード店や、コンビニ等で販売される適宜食品を食するのに十分な強度、剛性を発揮でき、しかも、比較的構成が簡素で、強い折曲力等が不要で、誰でも簡単に取扱いでき、その保管時等に嵩張らず、廃棄処理等も簡単に行え、製造が容易で、量産に適し、コストの低減が図れ、経済的な紙製カトラリーに関するものである。
【０００２】
【従来の技術】
例えば、従来の紙製スプーンとしては、特許文献１の折り組み式スプーンが提案されている。
そして、この折り組み式スプーンは、ほぼ長方形状の板紙からなるシート部材であって、前記シート部材の長手方向の一端部に外周縁へ向けて末広がり状に相対して設けられた１対のすくい折線と、１対の前記すくい折線のそれぞれの内端近傍から前記シート部材の長手方向の他端部へ向けて延びた柄折線と、を備え、１対の前記すくい折線のそれぞれの先端と前記シート部材の外周縁との間、および１対の前記すくい折線のそれぞれの内端と前記柄折線の先端との間に、それぞれ無折線部が設けられてなり、前記柄折線の折り曲げにより、柄部が形成されるとともに１対の前記すくい折線が折り曲げられて１対の前記すくい折線の間にすくい部が形成されたものである。
【０００３】
【特許文献１】
登録実用新案第３０５２２９１号公報
【０００４】
【発明が解決しようとする課題】
しかしながら、前述の如き折り組み式スプーンは、コーヒーのかき混ぜ等に使用するスプーン等としては使用可能となるが、例えば、ファーストフード店や、コンビニ等で販売される適宜食品を食するための十分な強度、剛性が得られ難い難点や、すくい部を深く形成し難い等の難点があった。
すなわち、適宜食品を食するためのスプーンの如き紙製食卓用器具（紙製カトラリー）として使用するには適していない難点があった。
【０００５】
また、シート部材が薄い場合は、比較的弱い力でも、柄折線を介して柄部を十分に（例えば、折り曲げ角が略９０度となるように）折り曲げできるようになるが、その強度、剛性を高めるべく、比較的厚いシート部材（例えば、０．８ｍｍ以上のシート部材）によって構成した場合には、一条の柄折線で柄部を十分に（例えば、折り曲げ角が略９０度となるように）折り曲げるにはかなりの力が必要となると共に、その復元力も大きく、折り曲げ状態の維持にかなりの力が必要となる難点があった。すなわち、幼児や、力の弱い老人等にとっては、その折り曲げ作業等が簡単に且つスムーズに行い難いものとなる虞れ等があった。
【０００６】
そこで、本発明は、前述の如き難点等の解消を図れるようにすると共に、ファーストフード店や、コンビニ等で販売される適宜食品を食するのに十分な強度、剛性を発揮でき、しかも、比較的構成が簡素で、強い折曲力等が不要で、誰でも簡単に取扱いでき、その保管時等に嵩張らず、廃棄処理等も簡単に行え、製造が容易で、量産に適し、コストの低減が図れ、経済的な紙製カトラリーを提供すべく創出されたものである。
【０００７】
【課題を解決するための手段】
しかして、請求項１記載の紙製カトラリーにあっては、比較的厚い紙製シート材或いは樹脂コーティングされた比較的厚い紙製シート材等から形成されるスプーンやフォークの如き紙製食卓用器具であって、柄部Ａと、この柄部Ａの先端に一体的に連設される本体部Ｂとからなり、柄部Ａは、略平坦板状に形成され、その中心線を挟むように且つ相互に接近した状態に配される複数条の直線状折目筋１が、柄部Ａの先端から基端に亙って設けられ、本体部Ｂは、その中心点から離れた位置に配され且つ中心点から離れる方に向って湾出するような適数の湾曲状折目筋２、１０が設けられると共に、適宜プレス手段によって湾曲面状に形成され、本体部Ｂの中心点近傍部分が最底部となり、中心点から離れた湾曲状折目筋２、１０部分が中心点より高い位置に配されるような湾曲面状に本体部Ｂを構成する手段を採用した。
【０００８】
また、請求項２記載の紙製カトラリーあっては、比較的厚い紙製シート材或いは樹脂コーティングされた比較的厚い紙製シート材等から形成されるスプーンやフォークの如き紙製食卓用器具であって、柄部Ａと、この柄部Ａの先端に一体的に連設される本体部Ｂとからなり、柄部Ａは、略平坦板状に形成され、その中心線を挟むように且つ相互に接近した状態に配される二条の直線状折目筋１が、柄部Ａの先端から基端に亙って設けられ、本体部Ｂは、その中心点から離れた湾曲状折目筋２、１０と、中心点に近い湾曲状折目筋３、１１とが設けられると共に、適宜プレス手段によって湾曲面状に形成され、本体部Ｂの中心点近傍部分が最底部となり、中心点に近い湾曲状折目筋３、１１部分、中心点から離れた湾曲状折目筋２、１０部分の順に漸次高い位置に配されるような湾曲面状に本体部Ｂを構成する手段を採用した。
【０００９】
更に、請求項３記載の紙製カトラリーあっては、比較的厚い紙製シート材或いは樹脂コーティングされた比較的厚い紙製シート材等から形成されるスプーンの如き紙製食卓用器具であって、柄部Ａと、この柄部Ａの先端に一体的に連設される本体部Ｂとからなり、柄部Ａは、略平坦板状に形成され、その中心線を挟むように且つ相互に接近した状態に配される二条の直線状折目筋１が、柄部Ａの先端から基端に亙って設けられ、本体部Ｂは、その中心点から離れた湾曲状折目筋２と、中心点に近い湾曲状折目筋３と、複数の外がわ放射状折目筋４と、複数の内がわ放射状折目筋５とが設けられると共に、適宜プレス手段によって湾曲面状に形成され、外がわ放射状折目筋４は、中心点から離れた湾曲状折目筋２から外周縁がわに向って略放射方向に配されると共に、外周縁には到達しないように形成され、内がわ放射状折目筋５は、中心点に近い湾曲状折目筋３と、中心点から離れた湾曲状折目筋２の間に於いて略放射方向に配され、本体部Ｂの中心点近傍部分が最底部となり、中心点に近い湾曲状折目筋３部分、中心点から離れた湾曲状折目筋２部分の順に漸次高い位置に配されるような湾曲面状に本体部Ｂを構成する手段を採用した。
【００１０】
そして、請求項４記載の紙製カトラリーあっては、比較的厚い紙製シート材或いは樹脂コーティングされた比較的厚い紙製シート材等から形成されるスプーンやフォークの如き紙製食卓用器具であって、柄部Ａと、この柄部Ａの先端に一体的に連設される本体部Ｂとからなり、柄部Ａは、略平坦板状に形成され、その中心線を挟むように且つ相互に接近した状態に配される複数条の直線状折目筋１を、柄部Ａの先端から基端に亙って設ける手段を採用した。
【００１１】
それから、請求項５記載の紙製カトラリーあっては、比較的厚い紙製シート材或いは樹脂コーティングされた比較的厚い紙製シート材等から形成されるスプーンやフォークの如き紙製食卓用器具であって、柄部Ａと、この柄部Ａの先端に一体的に連設される本体部Ｂとからなり、柄部Ａは、略平坦板状に形成され、その中心線を挟むように且つ相互に接近した状態に配される複数条の直線状折目筋１が、柄部Ａの先端から基端に亙って設けられ、本体部Ｂは、その中心点から離れた位置に配され且つ中心点から離れる方に向って湾出するような適数の湾曲状折目筋２、１０が設けられるように構成する手段を採用した。
【００１２】
【発明の実施の形態】
以下、本発明を図示例に基づいて説明すると、次の通りである。
本発明は、十分な強度、剛性を得るべく比較的厚い（例えば、１ｍｍ程度）紙製シート材（或いは樹脂コーティングされた比較的厚い紙製シート材）等から形成されるスプーンやフォークの如き紙製カトラリー（紙製食卓用器具）に係るもので、この紙製カトラリーは、主に、ファーストフード店や、コンビニ等で販売される適宜食品（例えば、カレーライス、オムライス、チャーハン、グラタン、かき氷、ヨーグルト、あんみつ、スパゲティー、サラダ、その他）を食する際に使用される衛生的な使い捨てタイプのものである。
【００１３】
そして、本発明の紙製カトラリーは、手指で安定的に掴まれる柄部Ａと、この柄部Ａの先端に一体的に連設されると共に、適宜食品を掬ったり、刺したり、或いは、絡めたりする本体部Ｂとからなる。
【００１４】
しかも、柄部Ａは、略平坦板状に形成され、その中心線を挟むように且つ相互に接近した状態に配される複数条（例えば、二条、或いはそれ以上）の直線状折目筋１が、柄部Ａの先端から基端に亙って設けられている。
すなわち、柄部Ａは、その使用時に、直線状折目筋１部分を利用して無理なく折り曲げられて（例えば、夫々の直線状折目筋１部分を略４５度宛折り曲げて、柄部Ａ全体が略９０度折り曲げられた状態とする）、手指で掴み易くすると共に、柄部Ａ（及び紙製カトラリー全体）の強度、剛性が高くなるようにする。
【００１５】
また、本体部Ｂは、その中心点から離れた位置に配され且つ中心点から離れる方に向って湾出するような適数の湾曲状折目筋２、１０が設けられている。すなわち、本体部Ｂを無理なく湾曲面状に形成できるようにしてある。
更に、本体部Ｂは、適宜プレス手段によって湾曲面状に形成される。しかも、この本体部Ｂは、本体部Ｂの中心点近傍部分が最底部となり、中心点から離れた湾曲状折目筋２、１０部分が中心点より高い位置に配されるような湾曲面状に構成される。すなわち、本体部Ｂは、適宜プレス手段によってスムーズに且つ無理なく湾曲面状に形成できるようにすると共に、その湾曲面状態が確実に維持できて、その強度、剛性が増すように構成されている。尚、本体部Ｂは、適宜プレス手段を用いずに、例えば、手指によって湾曲面状に形成できるように構成したものでも良い。
【００１６】
図１乃至図３の紙製カトラリーは、本発明の紙製スプーンを示すもので、これは、略長尺帯板状の柄部Ａと、この柄部Ａの先端に一体的に連設される略楕円状の本体部Ｂとからなる。
【００１７】
そして、柄部Ａは、略平坦帯板状に形成され、その中心線を挟むように且つ相互に接近した平行状態に配される二条の直線状折目筋１が、柄部Ａの先端から基端に亙って設けられている。
【００１８】
更に、本体部Ｂは、その中心点から離れ且つ外周縁に沿うような略偏平Ｃ字状を呈する湾曲状折目筋２と、中心点に近く且つ略偏平Ｃ字状を呈する湾曲状折目筋３と、中心点から離れた湾曲状折目筋２から外周縁がわに向って略放射方向に配されると共に、外周縁には到達しないように形成される複数の外がわ放射状折目筋４と、中心点に近い湾曲状折目筋３と中心点から離れた湾曲状折目筋２の間に於いて略放射方向に配される複数の内がわ放射状折目筋５とが設けられ、加えて、適宜プレス手段によって予め湾曲面状に形成されている。
しかも、本体部Ｂは、中心点近傍部分が最底部となり、中心点に近い湾曲状折目筋３部分、中心点から離れた湾曲状折目筋２部分の順に漸次高い位置に配されるような湾曲面状に構成されている。
【００１９】
また、図４乃至図６の紙製カトラリーは、本発明の紙製フォークを示すもので、これは、略長尺帯板状の柄部Ａと、この柄部Ａの先端に一体的に連設されると共に、その先端がわ部分に複数（例えば、３個）の歯１２を設けた本体部Ｂとからなる。
【００２０】
そして、柄部Ａは、前記紙製スプーンの柄部Ａと同様に、略平坦帯板状に形成され、その中心線を挟むように且つ相互に接近した平行状態に配される二条の直線状折目筋１が、柄部Ａの先端から基端に亙って設けられている。
【００２１】
更に、本体部Ｂは、その中心点から離れ且つ柄部Ａがわに配した略円弧状の湾曲状折目筋１０と、中心点に近く且つ前記湾曲状折目筋１０に略対峙するように配される略円弧状の湾曲状折目筋１１とが設けられており、適宜プレス手段によって予め湾曲面状に形成されている（或いは、適宜プレス手段は用いなくても良い）。
しかも、本体部Ｂは、中心点近傍部分が最底部となり、中心点に近い湾曲状折目筋１１部分、中心点から離れた湾曲状折目筋１０部分の順に漸次高い位置に配されるような湾曲面状に構成されている。
【００２２】
また、本体部Ｂの先端がわ部分は、先端がわに向って先鋭となるような略三角形状の歯１２が複数（例えば、３個）並設されている。
【００２３】
ところで、前記直線状折目筋１、湾曲状折目筋２、湾曲状折目筋３、放射状折目筋４、放射状折目筋５、湾曲状折目筋１０、湾曲状折目筋１１夫々は紙製カトラリーの表面がわに設けられるようにしてあり、例えば、略Ｖ溝状に形成されている。
【００２４】
尚、紙製カトラリーの具体的構成、形状、寸法、材質、柄部Ａの具体的構成、形状、寸法、材質、本体部Ｂの具体的構成、形状、寸法、材質、直線状折目筋１の具体的構成、形状、寸法、配設位置、湾曲状折目筋２の具体的構成、形状、寸法、配設位置、湾曲状折目筋３の具体的構成、形状、寸法、配設位置、放射状折目筋４の具体的構成、形状、寸法、配設位置、数、放射状折目筋５の具体的構成、形状、寸法、配設位置、数、湾曲状折目筋１０の具体的構成、形状、寸法、配設位置、湾曲状折目筋１１の具体的構成、形状、寸法、配設位置、歯１２の具体的構成、形状、寸法、配設位置、数等は図示例のもの等に限定されることなく適宜自由に設定、変更できるものである。
【００２５】
【発明の効果】
従って、本発明の請求項１記載の紙製カトラリーは、比較的厚い紙製シート材或いは樹脂コーティングされた比較的厚い紙製シート材等から形成されるスプーンやフォークの如き紙製食卓用器具であって、柄部Ａと、この柄部Ａの先端に一体的に連設される本体部Ｂとからなり、柄部Ａは、略平坦板状に形成され、その中心線を挟むように且つ相互に接近した状態に配される複数条の直線状折目筋１が、柄部Ａの先端から基端に亙って設けられ、本体部Ｂは、その中心点から離れた位置に配され且つ中心点から離れる方に向って湾出するような適数の湾曲状折目筋２、１０が設けられると共に、適宜プレス手段によって湾曲面状に形成され、本体部Ｂの中心点近傍部分が最底部となり、中心点から離れた湾曲状折目筋２、１０部分が中心点より高い位置に配されるような湾曲面状に本体部Ｂを構成したので、例えば、ファーストフード店や、コンビニ等で販売される適宜食品を食するために十分な強度、剛性を発揮できる紙製カトラリーとなる。しかも、比較的構成が簡素で、廃棄処理等も簡単に行え、製造が容易で、量産に適し、コストの低減が図れ、経済的な紙製カトラリーとなる。
【００２６】
加えて、本体部Ｂは、適宜プレス手段によって湾曲面状に形成されているが、柄部Ａは、略平坦板状に形成され、その中心線を挟むように且つ相互に接近した状態に配される複数条の直線状折目筋１が、柄部Ａの先端から基端に亙って設けられているだけなので、その保管時等に嵩張るようなことのない紙製カトラリーとなる。しかも、その使用時には、複数条の直線状折目筋１を介して柄部Ａを折り曲げるようにするだけで良く、その取扱いも容易である。
【００２７】
特に、その強度、剛性を高めるべく、比較的厚いシート部材によって構成した場合であっても、複数条の直線状折目筋１によって、比較的弱い力でも柄部Ａを十分な折り曲げ状態とすることができるようになる。しかも、その復元力も抑制できるようになり、折り曲げ状態の維持に力が不要となる。すなわち、幼児や、力の弱い老人等であっても、その折り曲げ作業等が簡単に且つスムーズに行えるようになり、取扱い易い紙製カトラリーとなる。
【００２８】
また、本発明の請求項２記載の紙製カトラリーは、比較的厚い紙製シート材或いは樹脂コーティングされた比較的厚い紙製シート材等から形成されるスプーンやフォークの如き紙製食卓用器具であって、柄部Ａと、この柄部Ａの先端に一体的に連設される本体部Ｂとからなり、柄部Ａは、略平坦板状に形成され、その中心線を挟むように且つ相互に接近した状態に配される二条の直線状折目筋１が、柄部Ａの先端から基端に亙って設けられ、本体部Ｂは、その中心点から離れた湾曲状折目筋２、１０と、中心点に近い湾曲状折目筋３、１１とが設けられると共に、適宜プレス手段によって湾曲面状に形成され、本体部Ｂの中心点近傍部分が最底部となり、中心点に近い湾曲状折目筋３、１１部分、中心点から離れた湾曲状折目筋２、１０部分の順に漸次高い位置に配されるような湾曲面状に本体部Ｂを構成したので、例えば、ファーストフード店や、コンビニ等で販売される適宜食品を食するために十分な強度、剛性を発揮できる紙製カトラリーとなる。しかも、比較的構成が簡素で、廃棄処理等も簡単に行え、製造が容易で、量産に適し、コストの低減が図れ、経済的な紙製カトラリーとなる。
【００２９】
加えて、本体部Ｂは、適宜プレス手段によって湾曲面状に形成されているが、柄部Ａは、略平坦板状に形成され、その中心線を挟むように且つ相互に接近した状態に配される二条の直線状折目筋１が、柄部Ａの先端から基端に亙って設けられているだけなので、その保管時等に嵩張るようなことのない紙製カトラリーとなる。しかも、その使用時には、二条の直線状折目筋１を介して柄部Ａを折り曲げるようにするだけで良く、その取扱いも容易である。
【００３０】
特に、その強度、剛性を高めるべく、比較的厚いシート部材によって構成した場合であっても、二条の直線状折目筋１によって、比較的弱い力でも柄部Ａを十分な折り曲げ状態とすることができるようになる。しかも、その復元力も抑制できるようになり、折り曲げ状態の維持に力が不要となる。すなわち、幼児や、力の弱い老人等であっても、その折り曲げ作業等が簡単に且つスムーズに行えるようになり、取扱い易い紙製カトラリーとなる。
【００３１】
更に、本発明の請求項３記載の紙製カトラリーは、比較的厚い紙製シート材或いは樹脂コーティングされた比較的厚い紙製シート材等から形成されるスプーンの如き紙製食卓用器具であって、柄部Ａと、この柄部Ａの先端に一体的に連設される本体部Ｂとからなり、柄部Ａは、略平坦板状に形成され、その中心線を挟むように且つ相互に接近した状態に配される二条の直線状折目筋１が、柄部Ａの先端から基端に亙って設けられ、本体部Ｂは、その中心点から離れた湾曲状折目筋２と、中心点に近い湾曲状折目筋３と、複数の外がわ放射状折目筋４と、複数の内がわ放射状折目筋５とが設けられると共に、適宜プレス手段によって湾曲面状に形成され、外がわ放射状折目筋４は、中心点から離れた湾曲状折目筋２から外周縁がわに向って略放射方向に配されると共に、外周縁には到達しないように形成され、内がわ放射状折目筋５は、中心点に近い湾曲状折目筋３と、中心点から離れた湾曲状折目筋２の間に於いて略放射方向に配され、本体部Ｂの中心点近傍部分が最底部となり、中心点に近い湾曲状折目筋３部分、中心点から離れた湾曲状折目筋２部分の順に漸次高い位置に配されるような湾曲面状に本体部Ｂを構成したので、例えば、ファーストフード店や、コンビニ等で販売される適宜食品を食するために十分な強度、剛性を発揮できる紙製カトラリーとなる。しかも、比較的構成が簡素で、廃棄処理等も簡単に行え、製造が容易で、量産に適し、コストの低減が図れ、経済的な紙製カトラリーとなる。
【００３２】
加えて、本体部Ｂは、適宜プレス手段によって湾曲面状に形成されているが、柄部Ａは、略平坦板状に形成され、その中心線を挟むように且つ相互に接近した状態に配される二条の直線状折目筋１が、柄部Ａの先端から基端に亙って設けられているだけなので、その保管時等に嵩張るようなことのない紙製カトラリーとなる。しかも、その使用時には、二条の直線状折目筋１を介して柄部Ａを折り曲げるようにするだけで良く、その取扱いも容易である。
【００３３】
特に、その強度、剛性を高めるべく、比較的厚いシート部材によって構成した場合であっても、二条の直線状折目筋１によって、比較的弱い力でも柄部Ａを十分な折り曲げ状態とすることができるようになる。しかも、その復元力も抑制できるようになり、折り曲げ状態の維持に力が不要となる。すなわち、幼児や、力の弱い老人等であっても、その折り曲げ作業等が簡単に且つスムーズに行えるようになり、取扱い易い紙製カトラリーとなる。
【００３４】
また、本体部Ｂは、その中心点から離れた湾曲状折目筋２と、中心点に近い湾曲状折目筋３と、複数の外がわ放射状折目筋４と、複数の内がわ放射状折目筋５とが設けられると共に、適宜プレス手段によって湾曲面状に形成され、外がわ放射状折目筋４は、中心点から離れた湾曲状折目筋２から外周縁がわに向って略放射方向に配されると共に、外周縁には到達しないように形成され、内がわ放射状折目筋５は、中心点に近い湾曲状折目筋３と、中心点から離れた湾曲状折目筋２の間に於いて略放射方向に配され、本体部Ｂの中心点近傍部分が最底部となり、中心点に近い湾曲状折目筋３部分、中心点から離れた湾曲状折目筋２部分の順に漸次高い位置に配されるような湾曲面状に本体部Ｂを構成したので、比較的深い湾曲面状の本体部Ｂをスムーズに且つ無理なく構成できるようになり、特に、スプーンのすくい部として最適な本体部Ｂとなる。
加えて、外がわ放射状折目筋４は、中心点から離れた湾曲状折目筋２から外周縁がわに向って略放射方向に配されると共に、外周縁には到達しないように形成されるので、本体部Ｂの外周縁部分の耐水（油）性等が損なわれるような虞れのないものとなる。
【００３５】
そして、本発明の請求項４記載の紙製カトラリーは、比較的厚い紙製シート材或いは樹脂コーティングされた比較的厚い紙製シート材等から形成されるスプーンやフォークの如き紙製食卓用器具であって、柄部Ａと、この柄部Ａの先端に一体的に連設される本体部Ｂとからなり、柄部Ａは、略平坦板状に形成され、その中心線を挟むように且つ相互に接近した状態に配される複数条の直線状折目筋１を、柄部Ａの先端から基端に亙って設けたので、例えば、ファーストフード店や、コンビニ等で販売される適宜食品を食するために十分な強度、剛性を発揮できる紙製カトラリーとなる。しかも、比較的構成が簡素で、廃棄処理等も簡単に行え、製造が容易で、量産に適し、コストの低減が図れ、経済的な紙製カトラリーとなる。
【００３６】
加えて、柄部Ａは、略平坦板状に形成され、その中心線を挟むように且つ相互に接近した状態に配される複数条の直線状折目筋１が、柄部Ａの先端から基端に亙って設けられているだけなので、その保管時等に嵩張るようなことのない紙製カトラリーとなる。しかも、その使用時には、複数条の直線状折目筋１を介して柄部Ａを折り曲げるようにするので、その取扱いも容易である。
【００３７】
特に、その強度、剛性を高めるべく、比較的厚いシート部材によって構成した場合であっても、複数条の直線状折目筋１によって、比較的弱い力でも柄部Ａを十分な折り曲げ状態とすることができるようになる。しかも、その復元力も抑制できるようになり、折り曲げ状態の維持に力が不要となる。すなわち、幼児や、力の弱い老人等であっても、その折り曲げ作業等が簡単に且つスムーズに行えるようになり、取扱い易い紙製カトラリーとなる。
【００３８】
それから、本発明の請求項５記載の紙製カトラリーは、比較的厚い紙製シート材或いは樹脂コーティングされた比較的厚い紙製シート材等から形成されるスプーンやフォークの如き紙製食卓用器具であって、柄部Ａと、この柄部Ａの先端に一体的に連設される本体部Ｂとからなり、柄部Ａは、略平坦板状に形成され、その中心線を挟むように且つ相互に接近した状態に配される複数条の直線状折目筋１が、柄部Ａの先端から基端に亙って設けられ、本体部Ｂは、その中心点から離れた位置に配され且つ中心点から離れる方に向って湾出するような適数の湾曲状折目筋２、１０が設けられるように構成したので、例えば、ファーストフード店や、コンビニ等で販売される適宜食品を食するために十分な強度、剛性を発揮できる紙製カトラリーとなる。しかも、比較的構成が簡素で、廃棄処理等も簡単に行え、製造が容易で、量産に適し、コストの低減が図れ、経済的な紙製カトラリーとなる。
【００３９】
加えて、柄部Ａは、略平坦板状に形成され、その中心線を挟むように且つ相互に接近した状態に配される複数条の直線状折目筋１が、柄部Ａの先端から基端に亙って設けられているだけなので、その保管時等に嵩張るようなことのない紙製カトラリーとなる。しかも、その使用時には、複数条の直線状折目筋１を介して柄部Ａを折り曲げるようにするので、その取扱いも容易である。
【００４０】
特に、その強度、剛性を高めるべく、比較的厚いシート部材によって構成した場合であっても、複数条の直線状折目筋１によって、比較的弱い力でも柄部Ａを十分な折り曲げ状態とすることができるようになる。しかも、その復元力も抑制できるようになり、折り曲げ状態の維持に力が不要となる。すなわち、幼児や、力の弱い老人等であっても、その折り曲げ作業等が簡単に且つスムーズに行えるようになり、取扱い易い紙製カトラリーとなる。
【図面の簡単な説明】
【図１】本発明を例示する一部省略斜視図である。
【図２】本発明を例示する展開図である。
【図３】本発明を例示する縦断面図である。
【図４】本発明の他の実施例を示す一部省略斜視図である。
【図５】本発明の他の実施例を示す展開図である。
【図６】本発明の他の実施例を示す縦断面図である。
【符号の説明】
Ａ      柄部
Ｂ      本体部
１      直線状折目筋                  ２      湾曲状折目筋
３      湾曲状折目筋                  ４      放射状折目筋
５      放射状折目筋
１０    湾曲状折目筋                  １１    湾曲状折目筋
１２    歯
【図１】
2005040285.tif 000003
【図２】
2005040285.tif 000004
【図３】
2005040285.tif 000005
【図４】
2005040285.tif 000006
【図５】
2005040285.tif 000007
【図６】
2005040285.tif 000008